(57)【要約】【課題】スポーツ吹矢を安全に楽しむことが可能な吹き矢の矢を提供する。【解決手段】矢１は、樹脂フィルムを巻いて両端を各開放した中空でほぼ円錐形状に形成した矢本体２と、矢本体２の先端穴３に挿し込み、接着固定する挿し込み部４をその基端側に有するとともに、その先端側に凹部５を有する固定部材７と、この固定部材７の前記凹部５に圧入嵌合するとともに接着固定した先端面が平らで円形の磁石９とからなる。人体に当たっても傷つけないような表面積を持たした表面が平らで円形の磁石を矢本体先端に設けることにより、安全であるとともに、鉄板等の磁着材を用いた的に当たったときに該的に矢先端が磁着して、従来の矢が的に突き刺さったときと同じ横向き状態で停止するので、スポーツ吹矢としての楽しさを損ねることがないうえ、前述のように安全なので、児童などの未成年者に対して安心して普及することができる。【選択図】図２
0003127809.tif 000002
【実用新案登録請求の範囲】
【請求項１】
両端を各開放した中空でほぼ円錐形状に形成した矢本体と、この矢本体の先端穴にその基端側を挿し込んで矢本体に固定する固定部材と、この固定部材の先端側に固定した先端面が平らな磁石とからなる吹矢の矢。
【請求項２】
シート材を巻いて両端を各開放した中空でほぼ円錐形状に形成した矢本体と、この矢本体の先端穴に挿し込み、接着固定する挿し込み部をその基端側に有するとともに、その先端側に凹部を有する固定部材と、この固定部材の前記凹部に嵌合固定した先端面が平らな磁石とからなる吹矢の矢であって、固定部材の挿し込み部は、端部に向けて徐々に大径となるように形成したことを特徴とする吹矢の矢。
【考案の詳細な説明】
【技術分野】
【０００１】
本考案は、的を射て楽しむ娯楽やスポーツとしての吹矢の矢に係り、特に、誤って人体に当たっても安全なものに関するものである。
【背景技術】
【０００２】
近年、吹矢は、的を射て楽しむ男女共通の娯楽、あるいは集中力強化やストレス解消にも役立つ呼吸法を取り入れたスポーツとして、各種クラブなどで静かなブームとなっているが、従来の吹矢の矢は、的に当たると突き刺さるように構成されていて、樹脂フィルムなどのシート材を巻いて、長さ２００ｍｍ程度の円錐形状に形成した矢本体の先端に、重りとなる直径３ｍｍほどの半球形状の金具を付けたものが一般的に使用され、また、矢本体の先端に釘を埋め込んだもの（特許文献１参照）も提案されている。
【特許文献１】実用新案登録第３０５１４３２号公報
【考案の開示】
【考案が解決しようとする課題】
【０００３】
上記吹矢の矢は、例えば長さ１２００ｍｍ、内径１３ｍｍの矢筒に装填され、発射速度が１４０ｍ／ｓｅｃ、射程距離は３０ｍにも達するという威力を有するものであって、人体に当たると非常に危険なので、これらの矢を用いた所謂スポーツ吹矢は、指導者の立会い及び指導の下に行われている。そして、このスポーツ吹矢は、前述のように指導者の指示に従わないと危険なため、指導者は、指示を守らない傾向がある未成年者、特に学童への指導を安全上の問題から敬遠する場合が多く、楽しいうえに集中力を養うことができるスポーツ吹矢を学童などに普及しにくいという問題があった。
【０００４】
本考案は、上記問題を解消することを課題とし、該課題を解決した安全な吹矢の矢を提供することを目的とする。
【課題を解決するための手段】
【０００５】
前記目的を達成するために、請求項１に記載の吹矢の矢は、両端を各開放した中空でほぼ円錐形状に形成した矢本体と、この矢本体の先端穴にその基端側を挿し込んで矢本体に固定する固定部材と、この固定部材の先端側に固定した先端面が平らな磁石とからなるものである。
【０００６】
また、請求項２に記載の吹矢の矢は、シート材を巻いて両端を各開放した中空でほぼ円錐形状に形成した矢本体と、この矢本体の先端穴に挿し込み、接着固定する挿し込み部をその基端側に有するとともに、その先端側に凹部を有する固定部材と、この固定部材の前記凹部に嵌合固定した先端面が平らな磁石とからなる吹矢の矢であって、固定部材の挿し込み部は、端部に向けて徐々に大径となるように形成したものである。
【考案の効果】
【０００７】
以上のように構成した請求項１記載の本考案によれば、人体に当たっても傷つけないような表面積を持たした表面が平らな磁石を矢本体先端に設けることにより、安全であるとともに、鉄板等の磁着材を用いた的に当たったときに該的に矢先端の磁石が磁着して、従来の矢が的に突き刺さったときと同じ横向き状態で停止するので、スポーツ吹矢としての楽しさを損ねることがないうえ、前述のように安全なので、児童などの未成年者に対して安心して普及することができるという効果を奏する。
【０００８】
以上のように構成した請求項２記載の本考案によれば、人体に当たっても傷つけないような表面積を持たした表面が平らな磁石を矢本体先端に設けることにより、安全であるとともに、鉄板等の磁着材を用いた的に当たったときに該的に矢先端の磁石が磁着して、従来の矢が的に突き刺さったときと同じ横向き状態で停止するので、スポーツ吹矢としての楽しさを損ねることがないうえ、前述のように安全なので、児童などの未成年者に対して安心して普及することができ、また、固定部材の挿し込み部を端部に向けて徐々に大径となるように形成したので、固定部材が矢本体先端の穴から脱落しにくいという効果を奏する。
【考案を実施するための最良の形態】
【０００９】
次に、本考案の好適な実施形態を添付図面の図１〜図３に基づいて詳細に説明する。ここにおいて、図１は矢筒に装填された状態を示す矢の正面図、図２は的に当たった状態を示す矢の部分拡大縦断面図、図３は矢の拡大側面図である。また、図４は他の実施形態における矢の部分拡大縦断面図である。
【００１０】
図１〜図３に示すように、矢１は、シート材たる樹脂フィルムを巻いて先後端をそれぞれ開放した中空でほぼ円錐形状に形成した矢本体２と、その基端側に挿し込み部４を有するとともに先端側に凹部５を有し、前記挿し込み部４を矢本体２の前記先端穴３に挿し込み、かつ接着剤６で接着して矢本体２に固定する金属製の固定部材７と、この固定部材７の前記凹部５に圧入嵌合し、かつ接着剤８で接着して固定した先端面が平らで円形の磁石９とからなる。なお、前記接着剤８は、嵌合状態が強固な場合は必要ない。
【００１１】
図２に示すように、前記固定部材７の挿し込み部４は、端部に向けて徐々に大径となる筒形状に形成してある。
【００１２】
図２及び図３に示すように、磁石９は、先端面を平らで直径７〜８ｍｍの円形に形成するとともに、先端面の縁部に丸みをもたしてある。そして、前記直径の円の面積をもつ磁石９先端面が人体に当たっても負傷するおそれはない。
【００１３】
図１に示す矢筒１０は公知のもので、長さ１２００ｍｍ、内径１３ｍｍ、外径１５ｍｍの一本のアルミ製パイプ材で形成され、吹き口に着脱可能にマウスピース１１を嵌合してある。
【００１４】
図２に示すように、的１２は、鉄板１３の表面に薄い磁着生を有するゴムシート１４を設けてなるものである。そして、前記矢筒１０に装填され、射られた矢１がこの的１２に当たると、ゴムシート１４の弾力によって矢１の勢いが消されて停止し、かつゴムシート１４に矢１先端の磁石９が磁着して、矢１は横方向に伸びた状態、すなわち、矢１が的１２に刺さった横向き状態と同様の状態で停止する。
【００１５】
なお、本考案は、上記実施形態になんら限定されるものではなく、例えば、図４に示すように、固定部材７の挿し込み部は、前記実施形態のように、端部に行くほど大径となる筒形状の挿し込み部４ではなく、端部と根元とが同一径の棒状の挿し込み部４ａに代えてもよい。また、固定部材７は、金属製ではなく樹脂製であってもよいほか、矢本体２を構成するシート材は、樹脂フィルムではなく紙であってもよい。
【図面の簡単な説明】
【００１６】
【図１】矢筒に装填された状態を示す矢の正面図。
【図２】的に当たった状態を示す矢の部分拡大縦断面図。
【図３】矢の拡大側面図。
【図４】他の実施形態における矢の部分拡大縦断面図。
【符号の説明】
【００１７】
１    矢
２    矢本体
３    先端穴
４    挿し込み部
５    凹部
６    接着剤
７    固定部材
８    接着剤
９    磁石
１０    矢筒
１１    マウスピース
１２    的
１３    鉄板
１４    ゴムシート
【図１】
0003127809.tif 000003
【図２】
0003127809.tif 000004
【図３】
0003127809.tif 000005
【図４】
0003127809.tif 000006